(57)【特許請求の範囲】
【請求項１】
車両の入庫及び出庫を行う入出庫部と、車両を載置して搬送するためのパレットが配置された複数の格納棚及び前記パレットが配置されない空き領域となる１箇所以上の格納棚が格子状に配置された格納庫と、前記入出庫部と前記格納庫の間を昇降して前記パレットを搬送する昇降装置と、を備え、前記パレットが前記格納棚間を水平面内で縦方向及び横方向に移動することで、前記格納庫内で車両の搬送を行う機械式駐車装置の制御装置であって、
利用者の過去の入庫及び出庫の日時に関する第１情報と前記機械式駐車装置の特性に関する第２情報とに基づいて、前記利用者のそれぞれについて入庫確率及び出庫確率を含む入出庫確率を時刻毎に算出する算出部と、
前記算出部で算出された前記入出庫確率に基づいて前記パレットの配置を設定する設定部と
を備え、
前記利用者は、予め登録されている第１利用者と、前記第１利用者以外の第２利用者とを、含み、
前記算出部は、前記第１利用者についての前記第１情報に対応する第３情報を用いて前記第２利用者の前記入出庫確率を算出する
機械式駐車装置の制御装置。
【請求項２】
前記入出庫確率が閾値を超えるか否かを判断する判断部を更に備え、
前記設定部は、前記入出庫確率が前記閾値を超えると判断された場合、前記入出庫確率に対応する前記パレットが前記昇降装置の周囲の前記格納棚に配置されるように前記パレットの配置を設定する
請求項１に記載の機械式駐車装置の制御装置。
【請求項３】
前記設定部は、前記出庫確率が前記閾値を超えると判断された場合、前記出庫確率に対応する利用者の前記車両を載置する前記パレットが前記昇降装置の周囲の前記格納棚に配置されるように前記パレットの配置を設定する
請求項２に記載の機械式駐車装置の制御装置。
【請求項４】
前記設定部は、前記出庫確率が前記閾値を超えると判断された利用者の前記車両を移動対象とし、前記出庫確率の高い利用者の前記車両ほど前記昇降装置に近い前記格納棚に配置されるように前記パレットの配置を設定する
請求項３に記載の機械式駐車装置の制御装置。
【請求項５】
前記設定部は、前記入庫確率が前記閾値を超えると判断された場合、前記車両が載置されていない状態の前記パレットが１つ以上前記昇降装置の周囲の格納棚に配置されるように前記パレットの配置を設定する
請求項２から請求項４のうちいずれか一項に記載の機械式駐車装置の制御装置。
【請求項６】
前記第３情報は、前記第１利用者についての前記第１情報に基づいて求められる情報又は前記第１利用者についての前記第１情報に対応するように予め設定される情報である
請求項１から請求項５のうちいずれか一項に記載の機械式駐車装置の制御装置。
【請求項７】
前記算出部は、利用者の時刻毎の積算入庫回数及び積算出庫回数に基づいて入庫又は出庫が発生する第１入出庫確率を算出し、利用者の１回の駐車当たりの平均駐車時間に基づいて入庫又は出庫が発生する第２入出庫確率を算出し、前記第１入出庫確率及び前記第２入出庫確率を用いて前記入出庫確率を算出する
請求項１から請求項６のうちいずれか一項に記載の機械式駐車装置の制御装置。
【請求項８】
前記算出部は、前記第２情報に基づいて、前記第１入出庫確率及び前記第２入出庫確率を算出する
請求項７に記載の機械式駐車装置の制御装置。
【請求項９】
前記算出部は、出庫の際の利用者の待ち時間に基づいて、前記第１入出庫確率及び前記第２入出庫確率を補正する
請求項７又は請求項８に記載の機械式駐車装置の制御装置。
【請求項１０】
前記第１情報は、年月日、曜日及び時刻に関する情報を含む
請求項１から請求項９のうちいずれか一項に記載の機械式駐車装置の制御装置。
【請求項１１】
前記第２情報は、前記機械式駐車装置の利用形態に関する情報、前記機械式駐車装置が設けられる施設に関する情報、及び前記機械式駐車装置が設けられる地域の天候に関する情報のうち少なくとも１つを含む
請求項１から請求項１０のうちいずれか一項に記載の機械式駐車装置の制御装置。
【請求項１２】
前記設定部は、設定した配置となるように前記パレットの配置換えの移動を行わせると共に、前記配置換えを行わせているときに入庫又は出庫の指示を検出した場合、入庫又は出庫が完了するまで前記配置換えの移動を中断させる
請求項１から請求項１１のうちいずれか一項に記載の機械式駐車装置の制御装置。
【請求項１３】
前記設定部は、複数の前記パレットのうち前記車両が配置されていない前記パレットの数及び配置に基づいて、前記パレットの配置を設定する
請求項１から請求項１２のうちいずれか一項に記載の機械式駐車装置の制御装置。
【請求項１４】
前記入出庫部は、１つの前記昇降装置で入庫と出庫を行い、
前記設定部は、前記昇降装置の周囲に配置する前記パレットのうち前記車両が載置されていない前記パレットの数と前記車両が載置されている前記パレットの数を、前記入庫確率と前記出庫確率とに基づいて設定し、当該設定に基づいて前記パレットを配置する
請求項１から請求項１０のうちいずれか一項に記載の機械式駐車装置の制御装置。
【請求項１５】
請求項１から請求項１４のうちいずれか一項に記載の機械式駐車装置の制御装置を備える機械式駐車装置。
【請求項１６】
車両の入庫及び出庫のうち少なくとも一方を行う入出庫部と、車両を載置して搬送するためのパレットが配置された複数の格納棚及び前記パレットが配置されない空き領域となる１箇所以上の格納棚が格子状に配置された格納庫と、前記入出庫部と前記格納庫の間を昇降して前記パレットを搬送する昇降装置と、を備え、前記パレットが前記格納棚間を水平面内で縦方向及び横方向に移動することで、前記格納庫内で車両の搬送を行う機械式駐車装置の制御方法であって、
利用者の過去の入庫及び出庫の日時に関する第１情報と前記機械式駐車装置の特性に関する第２情報とに基づいて、前記利用者のそれぞれについて入庫確率及び出庫確率を含む入出庫確率を時刻毎に算出する算出ステップと、
算出した前記入出庫確率に基づいて前記パレットの配置を設定する設定ステップと
を含み、
前記利用者は、予め登録されている第１利用者と、前記第１利用者以外の第２利用者とを、含み、
前記算出ステップは、前記第１利用者についての前記第１情報に対応する第３情報を用いて前記第２利用者の前記入出庫確率を算出する
機械式駐車装置の制御方法。
【請求項１７】
車両の入庫及び出庫のうち少なくとも一方を行う入出庫部と、車両を載置して搬送するためのパレットが配置された複数の格納棚及び前記パレットが配置されない空き領域となる１箇所以上の格納棚が格子状に配置された格納庫と、前記入出庫部と前記格納庫の間を昇降して前記パレットを搬送する昇降装置と、を備え、前記パレットが前記格納棚間を水平面内で縦方向及び横方向に移動することで、前記格納庫内で車両の搬送を行う機械式駐車装置の制御プログラムであって、
利用者の過去の入庫及び出庫の日時に関する第１情報と前記機械式駐車装置の特性に関する第２情報とに基づいて、前記利用者のそれぞれについて入庫確率及び出庫確率を含む入出庫確率を時刻毎に算出する算出処理と、
算出した前記入出庫確率に基づいて前記パレットの配置を設定する設定処理と
をコンピュータに実行させ、
前記利用者は、予め登録されている第１利用者と、前記第１利用者以外の第２利用者とを、含み、
前記算出処理は、前記第１利用者についての前記第１情報に対応する第３情報を用いて前記第２利用者の前記入出庫確率を算出する
機械式駐車装置の制御プログラム。
【発明の詳細な説明】
【技術分野】
【０００１】
本発明は、機械式駐車装置の制御装置、機械式駐車装置、制御方法及び制御プログラムに関する。
【背景技術】
【０００２】
車両を載せたパレットを入出庫部と格納庫との間で移動させることにより車両の入庫及び出庫を行う各種の機械式駐車装置が知られている（例えば、特許文献１参照）。特許文献１には、いわゆるエレベータ式の機械式駐車装置が記載されている。エレベータ式の機械式駐車装置では、格納庫が複数階に形成され、乗入階と各階を接続する昇降装置（リフト）が設けられる。格納庫の各階には、リフトの左右に格納棚が配置される。各格納棚には、それぞれパレットが配置される。この構成では、各階において、格納棚とリフトとの間で直線方向にパレットが往復移動する。
【０００３】
また、機械式駐車装置の一例として、いわゆるパズル式の機械式駐車装置等が知られている。パズル式の機械式駐車装置では、格納庫には、水平面に沿ってＮ行×Ｍ列の格子状に配置された複数の格納棚が設けられる。複数の格納棚には、パレットが配置された格納棚と、パレットが配置されず空き領域となる格納棚とがある。この構成では、パレットが配置された格納棚から空き領域の格納棚へパレットを水平方向に送ることで、パレットの移動が行われる。このパレットの移動を繰り返し行うことで、目的のパレットが指定した位置の格納棚に移動する。
【０００４】
前記の機械式駐車装置では、車両の入庫時には、機械式駐車装置の乗入階にある入出庫部にパレットを配置させておく。入庫対象となる車両がパレットに載置され、利用者によって所定の入庫操作が行われた場合、機械式駐車装置は、当該車両を載置したパレットをリフトによって格納庫まで鉛直方向に移動させる。その後、格納庫内で当該パレットを水平方向に移動させることで、車両が格納棚に格納される。
【０００５】
また、利用者によって所定の出庫操作が行われた場合、機械式駐車装置は車両の出庫を行う。車両の出庫時、機械式駐車装置は、格納庫内のパレットを順次移動させ、出庫対象となる車両が載置されるパレットをリフトまで移動させる。その後、当該パレットをリフトによって乗入階の入出庫部まで鉛直方向に搬送させることで、車両が出庫される。
【先行技術文献】
【特許文献】
【０００６】
【特許文献１】特開２００１−１５８５１１号公報
【発明の概要】
【発明が解決しようとする課題】
【０００７】
このような機械式駐車装置では、出庫の際、車両を載置したパレットが格納棚から乗入階まで搬送される時間に応じて、利用者の待ち時間が決まる。例えば、エレベータ式の機械式駐車装置では、出庫車両を載置したパレットを出庫車両の格納階から乗入階までリフトで昇降させる時間が実質的に利用者の待ち時間に影響する。また、パズル式の機械式駐車装置では、出庫車両を載置したパレットを格納棚からリフトまで同一階内で水平方向に搬送する時間が実質的に利用者の待ち時間に影響する。利用者が所定の出庫指示を行った時点で、当該利用者の車両が乗入階から離れた格納棚に格納されていると、車両の搬送時間が長くなるため、利用者の待ち時間が長くなる。
【０００８】
本発明は、上記に鑑みてなされたものであり、利用者の待ち時間を短縮させることが可能な機械式駐車装置の制御装置、機械式駐車装置、制御方法及び制御プログラムを提供することを目的とする。
【課題を解決するための手段】
【０００９】
本発明に係る機械式駐車装置の制御装置は、車両の入庫及び出庫を行う入出庫部と、車両を載置して搬送するためのパレットが配置された複数の格納棚及び前記パレットが配置されない空き領域となる１箇所以上の格納棚が格子状に配置された格納庫と、前記入出庫部と前記格納庫の間を昇降して前記パレットを搬送する昇降装置と、を備え、前記パレットが前記格納棚間を水平面内で縦方向及び横方向に移動することで、前記格納庫内で車両の搬送を行う機械式駐車装置の制御装置であって、利用者の過去の入庫及び出庫の日時に関する第１情報と前記機械式駐車装置の特性に関する第２情報とに基づいて、前記利用者のそれぞれについて入庫確率及び出庫確率を含む入出庫確率を時刻毎に算出する算出部と、前記算出部で算出された前記入出庫確率に基づいて前記パレットの配置を設定する設定部とを備える。
【００１０】
本発明によれば、利用者の過去の入庫及び出庫の日時に関する第１情報と機械式駐車装置の特性に関する第２情報とに基づいて、利用者のそれぞれについて入庫確率及び出庫確率を含む入出庫確率を時刻毎に算出し、この入出庫確率に基づいてパレットの配置を設定するため、利用者に入力操作などの負担をかけることなく、入出庫の際の待ち時間を短縮させることが可能となる。ここで、入出庫部は、入庫部と出庫部とを兼ねた構成や、入庫部と出庫部とが別個に設けられる構成、また、これらの構成を組み合わせた構成を含んでいる。
【００１１】
また、機械式駐車装置の利用者は必ずしも同じパターンで車両を使用するとは限らず、例えば曜日（平日と休日）や天候（晴天時と雨天時）等によって車両の使用の有無が異なったり、車両を使用する時間帯が異なったりする場合がある。また、オフィスビルなどのようにランダムに車が出入りする場合もある。これに対して、本発明で算出される入出庫確率は、利用者の過去の傾向のみならず機械式駐車装置の特性についても反映されたものとなるため、より高精度に算出される。これにより、パレットの無駄な配置換えを抑制することができ、無駄な電力の消費を抑制することができる。また、機械式駐車装置の種類によっては、パレットの配置換え運転を中断できないものもあり、配置換え運転中に入出庫の指示があった場合には配置換え運転が完了するまで利用者を待たせることになる。したがって、無駄な配置換えが抑制されることで、無駄な待ち時間の発生が抑制されることになる。
【００１２】
上記の機械式駐車装置の制御装置において、前記入出庫確率が閾値を超えるか否かを判断する判断部を更に備え、前記設定部は、前記入出庫確率が前記閾値を超えると判断された場合、前記入出庫確率に対応する前記パレットが前記昇降装置の周囲の前記格納棚に配置されるように前記パレットの配置を設定する。
【００１３】
本発明によれば、入出庫確率が閾値を超えると判断された場合に入出庫確率に対応するパレットが昇降装置の周囲の格納棚に配置されるように設定されるため、入出庫確率が閾値を下回る場合にパレットが無駄に配置換えされることが抑制される。
【００１４】
上記の機械式駐車装置の制御装置において、前記設定部は、前記出庫確率が前記閾値を超えると判断された場合、前記出庫確率に対応する利用者の前記車両を載置する前記パレットが前記昇降装置の周囲の前記格納棚に配置されるように前記パレットの配置を設定する。
【００１５】
本発明によれば、出庫確率が閾値を超えると判断された場合、当該出庫確率に対応する利用者の車両を載置するパレットが昇降装置の周囲の格納棚に配置されるため、出庫確率が閾値を下回る場合にパレットが無駄に配置換えされることが抑制される。
【００１６】
上記の機械式駐車装置の制御装置において、前記設定部は、前記出庫確率が前記閾値を超えると判断された利用者の前記車両を移動対象とし、前記出庫確率の高い利用者の前記車両ほど前記昇降装置に近い前記格納棚に配置されるように前記パレットの配置を設定する。
【００１７】
本発明によれば、出庫確率が閾値を超える利用者の車両が、出庫確率が高いほど昇降装置に近い格納棚に配置されるため、パレットの無駄な配置換えを抑制することができ、効率的に出庫を行うことができる。
【００１８】
上記の機械式駐車装置の制御装置において、前記設定部は、前記入庫確率が前記閾値を超えると判断された場合、前記車両が載置されていない状態の前記パレットが１つ以上前記昇降装置の周囲の格納棚に配置されるように前記パレットの配置を設定する。
【００１９】
本発明によれば、入庫確率が閾値を超える場合に、車両が載置されていない状態のパレットが１つ以上昇降装置の周囲の格納棚に配置されるため、入庫の指示があった場合でも無駄な待ち時間の発生が抑制される。
【００２０】
上記の機械式駐車装置の制御装置において、前記利用者は、予め登録されている第１利用者と、前記第１利用者以外の第２利用者とを、含み、前記算出部は、前記第２利用者に対して、同一の前記第１情報を用いて前記入出庫確率を算出する。
【００２１】
本発明によれば、予め登録されていない第２利用者についても、第１利用者と同様に第１情報及び第２情報を用いて入出庫確率が算出され、当該入出庫確率に基づいてパレットの位置が設定される。これにより、パレットの無駄な配置換えを抑制することができるとともに、第２利用者に対しても入力操作などの負担をかけることなく、入出庫の際の待ち時間を短縮させることが可能となる。
【００２２】
上記の機械式駐車装置の制御装置において、前記算出部は、利用者の時刻毎の積算入庫回数及び積算出庫回数に基づいて第１確率を算出し、利用者の１回の駐車当たりの平均駐車時間に基づいて第２確率を算出し、前記第１確率及び前記第２確率を用いて前記入出庫確率を算出する。
【００２３】
本発明によれば、利用者の時刻毎の積算入庫回数及び積算出庫回数に基づいて算出された第１確率は、利用者の入出庫の時刻のパターンを反映するものとなる。また、利用者の１回の駐車当たりの平均駐車時間に基づいて算出された第２確率は、利用者が特定のパターンで利用しない傾向や駐車時間が一定になるように機械式駐車装置を利用する傾向を反映するものとなる。この第１確率と第２確率とに基づいて入出庫確率を算出することにより、利用者の傾向がより反映された高精度の入出庫確率が得られる。
【００２４】
上記の機械式駐車装置の制御装置において、前記算出部は、前記第２情報に基づいて、前記第１確率及び前記第２確率を算出する。
【００２５】
本発明によれば、第１確率及び第２確率に対して、機械式駐車装置の特性が反映されることになるため、より高精度の入出庫確率が得られる。
【００２６】
上記の機械式駐車装置の制御装置において、前記算出部は、出庫の際の利用者の待ち時間に基づいて、前記第１確率及び前記第２確率を補正する。
【００２７】
本発明によれば、求めた入出庫確率に基づいてパレットの配置を設定し、パレットの移動を行った際、例えば想定よりも待ち時間が長い場合には、第１確率及び第２確率を補正することにより、当該待ち時間を短くできる。
【００２８】
上記の機械式駐車装置の制御装置において、前記第１情報は、年月日、曜日及び時刻に関する情報を含む。
【００２９】
本発明によれば、利用者の年月日、曜日及び時刻における傾向を入出庫確率に反映させることができる。これにより、高精度の入出庫確率が得られる。
【００３０】
上記の機械式駐車装置の制御装置において、前記第２情報は、前記機械式駐車装置の利用形態に関する情報、前記機械式駐車装置が設けられる施設に関する情報、及び前記機械式駐車装置が設けられる地域の天候に関する情報のうち少なくとも１つを含む。
【００３１】
本発明によれば、機械式駐車装置の利用形態、機械式駐車装置が設けられる施設、及び機械式駐車装置が設けられる地域の天候を入出庫確率に反映させることができる。これにより、高精度の入出庫確率が得られる。
【００３２】
上記の機械式駐車装置の制御装置において、前記設定部は、設定した配置となるように前記パレットの配置換えの移動を行わせると共に、前記配置換えを行わせているときに入庫又は出庫の指示を検出した場合、入庫又は出庫が完了するまで前記配置換えの移動を中断させる。
【００３３】
本発明によれば、パレットの配置換えの移動よりも入庫又は出庫を優先させることにより、入庫時及び出庫時における利用者の待ち時間を短縮させることができる。
【００３４】
上記の機械式駐車装置の制御装置において、前記設定部は、複数の前記パレットのうち前記車両が配置されていない前記パレットの数及び配置に基づいて、前記パレットの配置を設定する。
【００３５】
本発明によれば、車両が配置されていないパレットが昇降装置の周囲に適宜配置されることになるため、出庫のみならず入庫についてもスムーズに行うことが可能となる。これにより、利用者の待ち時間を短縮させることができる。
【００３６】
上記の機械式駐車装置の制御装置において、前記入出庫部は、１つの前記昇降装置で入庫と出庫を行い、前記設定部は、前記昇降装置の周囲に配置する前記パレットのうち前記車両が載置されていない前記パレットの数と前記車両が載置されている前記パレットの数を、前記入庫確率と前記出庫確率とに基づいて設定し、当該設定に基づいて前記パレットを配置する。
【００３７】
本発明によれば、車両が載置されないパレットと車両が載置されたパレットとをバランスよく配置することができるため、スムーズな入庫及び出庫が可能となる。これにより、入庫時及び出庫時における利用者の待ち時間を短縮させることができる。
【００３８】
本発明に係る機械式駐車装置は、上記の機械式駐車装置の制御装置を備える。
【００３９】
本発明によれば、利用者に入力操作などの負担をかけることなく、入出庫の際の待ち時間を短縮させることが可能となり、無駄なパレットの移動を抑制することができるため、便利でランニングコストの低い機械式駐車装置を得ることができる。
【００４０】
本発明に係る機械式駐車装置の制御方法は、車両の入庫及び出庫のうち少なくとも一方を行う入出庫部と、車両を載置して搬送するためのパレットが配置された複数の格納棚及び前記パレットが配置されない空き領域となる１箇所以上の格納棚が格子状に配置された格納庫と、前記入出庫部と前記格納庫の間を昇降して前記パレットを搬送する昇降装置と、を備え、前記パレットが前記格納棚間を水平面内で縦方向及び横方向に移動することで、前記格納庫内で車両の搬送を行う機械式駐車装置の制御方法であって、利用者の過去の入庫及び出庫の日時に関する第１情報と前記機械式駐車装置の特性に関する第２情報とに基づいて、前記利用者のそれぞれについて入庫確率及び出庫確率を含む入出庫確率を時刻毎に算出するステップと、算出した前記入出庫確率に基づいて前記パレットの配置を設定するステップとを含む。
【００４１】
本発明によれば、利用者に入力操作などの負担をかけることなく、入出庫の際の待ち時間を短縮させることが可能となり、無駄なパレットの移動を抑制することができる。
【００４２】
本発明に係る機械式駐車装置の制御プログラムは、車両の入庫及び出庫のうち少なくとも一方を行う入出庫部と、車両を載置して搬送するためのパレットが配置された複数の格納棚及び前記パレットが配置されない空き領域となる１箇所以上の格納棚が格子状に配置された格納庫と、前記入出庫部と前記格納庫の間を昇降して前記パレットを搬送する昇降装置と、を備え、前記パレットが前記格納棚間を水平面内で縦方向及び横方向に移動することで、前記格納庫内で車両の搬送を行う機械式駐車装置の制御プログラムであって、利用者の過去の入庫及び出庫の日時に関する第１情報と前記機械式駐車装置の特性に関する第２情報とに基づいて、前記利用者のそれぞれについて入庫確率及び出庫確率を含む入出庫確率を時刻毎に算出する処理と、算出した前記入出庫確率に基づいて前記パレットの配置を設定する処理とをコンピュータに実行させる。
【００４３】
本発明によれば、利用者に入力操作などの負担をかけることなく、入出庫の際の待ち時間を短縮させることが可能となり、無駄なパレットの移動を抑制することができる。
【発明の効果】
【００４４】
本発明に係る機械式駐車装置の制御装置、機械式駐車装置、制御方法及び制御プログラムによれば、利用者の待ち時間を短縮させることが可能となる。
【図面の簡単な説明】
【００４５】
【図１】図１は、本実施形態に係る機械式駐車装置の一例を示す概略構成図である。
【図２】図２は、械式駐車装置の制御装置の構成を示すブロック図である。
【図３】図３は、制御装置の一部の構成を示すブロック図である。
【図４】図４は、パレットの配置を設定する手順を示すフローチャートである。
【図５Ａ】図５Ａは、入庫確率を求める過程を模式的に示す図である。
【図５Ｂ】図５Ｂは、第１出庫確率を求める過程を模式的に示す図である。
【図６Ａ】図６Ａは、パレットの配置を設定する過程を模式的に示す図である。
【図６Ｂ】図６Ｂは、パレットの配置を設定する過程を模式的に示す図である。
【図７Ａ】図７Ａは、パレットの配置を設定する過程を模式的に示す図である。
【図７Ｂ】図７Ｂは、パレットの配置を設定する過程を模式的に示す図である。
【図８】図８は、算出した入出庫確率の一例を示すグラフである。
【図９Ａ】図９Ａは、算出した入出庫確率の一例を示すグラフである。
【図９Ｂ】図９Ｂは、算出した入出庫確率の一例を示すグラフである。
【図１０Ａ】図１０Ａは、算出した入出庫確率の一例を示すグラフである。
【図１０Ｂ】図１０Ｂは、算出した入出庫確率の一例を示すグラフである。
【発明を実施するための形態】
【００４６】
以下、本発明に係る機械式駐車装置の制御装置及び機械式駐車装置の実施形態を図面に基づいて説明する。なお、この実施形態によりこの発明が限定されるものではない。また、下記実施形態における構成要素には、当業者が置換可能かつ容易なもの、あるいは実質的に同一のものが含まれる。本実施形態では、車両を載置するパレットを水平循環させるパズル式の機械式駐車装置を例に挙げて説明するが、例えばエレベータ式など、他の方式の機械式駐車場においても、リフト近傍への搬送を乗入部近傍への搬送と読み替えることで、本発明の適用は可能である。
【００４７】
図１は、本実施形態に係る機械式駐車装置１０の概略構成図である。機械式駐車装置１０は、車両１２を入出庫させる入出庫部１４と、車両１２を格納する格納庫２０と、入出庫部１４と格納庫２０との間で昇降して車両１２を搬送するリフト（昇降装置）２２とを備えている。また、機械式駐車装置１０は、これら入出庫部１４、格納庫２０及びリフト２２の動作を統括的に制御する制御装置２４を備えている。
【００４８】
入出庫部１４は、扉２６及び操作盤２８を有している。扉２６は、車両１２が入出庫部１４に入庫又は出庫する際に開かれる。操作盤２８は、機械式駐車装置１０の利用者が入庫や出庫などの各種操作を行うためのものである。操作盤２８は、入出庫部１４の外側に配置される。
【００４９】
操作盤２８は、例えば、スイッチ、タッチパネル、ＩＣカード、リモコン装置等の入力装置を有している。操作盤２８の入力装置は、機械式駐車装置１０の利用者による入庫操作や出庫操作等の各種操作を受け付ける。
【００５０】
また、操作盤２８は、文字や画像、音声などの情報を出力する出力装置を有している。このような出力装置としては、例えば液晶ディスプレイ装置、表示ランプ等の表示装置や、スピーカ等の音声出力装置などが挙げられる。また、出力装置として音声合成装置が設けられてもよい。操作盤２８は、出力装置を介して、利用者に種々の情報を提供する。
【００５１】
格納庫２０は、水平面上に格子状（例えば、Ｎ行×Ｍ列）に配置された複数の格納棚１８を有している。複数の格納棚１８は、パレット１６が配置される格納棚１８と、パレット１６が配置されずに空き領域となる格納棚１８とを含んでいる。空き領域となる格納棚１８は、１箇所以上設けられる。格納棚１８は、例えば１台の車両１２を収容可能な寸法に形成される。
【００５２】
パレット１６は、板状に形成され、車両１２を載置する。パレット１６は、１台分の車両１２を載置可能であり、かつ１つの格納棚１８に収まる寸法に形成される。パレット１６は、複数の格納棚１８間を行方向及び列方向に移動する。格納庫２０では、車両１２を載置した在車パレット１６が移動することで、車両１２の搬送が行われる。パレット１６には、各々異なる識別番号が予め付加されている。パレット１６の識別番号は、制御装置２４によって識別可能である。
【００５３】
図１において、格納庫２０の格納棚１８は、３段（階）として示されているが、これは一例であって段数は特に限定されず、１段、２段、又は４段以上であってもよい。なお、１つ以上の格納棚１８によって構成される１平面の格納庫を格納段（階）と呼ぶ。また、格納庫２０は、入出庫部１４よりも下段に配置されているが、これに限らず、格納庫２０は、入出庫部１４よりも上段に配置されていてもよいし、入出庫部１４よりも上段及び下段の両方に配置されてもよい。さらに、各段の格納棚１８は、リフト２２によって接続されており、各段のレイアウト（格納棚の数及び縦横比、配置形状（方形、Ｌ字型、ロ字型など）、またパレット１６の枚数及び位置等）は、各々同じでも異なっていてもよい。
【００５４】
図１において、リフト（昇降装置）２２は１基設けることとして示されているが、複数あってもよい。また、リフト２２に接続する入出庫部１４は１つ示されているが、入出庫階でリフトの左右に接続されるタイプ、複数の入出庫階を持つタイプなどであってもよい。
【００５５】
図２は、機械式駐車装置１０の制御装置２４の電気的構成を示すブロック図である。制御装置２４は、ＣＰＵ（Ｃｅｎｔｒａｌ Ｐｒｏｃｅｓｓｉｎｇ Ｕｎｉｔ）４０、各種プログラムや各種パラメータ等が予め記憶されたＲＯＭ（Ｒｅａｄ Ｏｎｌｙ Ｍｅｍｏｒｙ）４４、ＣＰＵ４０による各種プログラムの実行時のワークエリア等として用いられるＲＡＭ（Ｒａｎｄｏｍ Ａｃｃｅｓｓ Ｍｅｍｏｒｙ）４５、各種プログラム及び各種情報を記憶する記憶手段としてのＨＤＤ（Ｈａｒｄ Ｄｉｓｋ Ｄｒｉｖｅ）４６を備えている。
【００５６】
また、制御装置２４は、パレット１６やリフト２２等を駆動させるためのモータ（不図示）を制御するモータ制御部５１、及びパレット１６やリフト２２等の動作状態を検知するセンサ（不図示）からの信号を受信するセンサ信号受信部５２を備えている。
【００５７】
ＣＰＵ４０、ＲＯＭ４４、ＲＡＭ４５、ＨＤＤ４６、モータ制御部５１、センサ信号受信部５２、及び操作盤２８は、システムバス５３を介して相互に電気的に接続されている。従って、ＣＰＵ４０は、ＲＯＭ４４、ＲＡＭ４５、及びＨＤＤ４６へのアクセス、操作盤２８に対する操作状態の把握及び画像の表示、モータ制御部５１を介したモータの駆動、並びにセンサ信号受信部５２を介したパレット１６やリフト２２等の動作状態の把握を行なうことができる。
【００５８】
なお、ＨＤＤ４６の代わりに、ＳＳＤ（Ｓｏｌｉｄ Ｓｔａｔｅ Ｄｒｉｖｅ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒy）、フラッシュメモリ、バッテリバックアップ付きのＳＲＡＭ（Ｓｔａｔｉｃ Ｒａｎｄｏｍ Ａｃｃｅｓｓ Ｍｅｍｏｒｙ）等の記憶素子を用いてもよく、プログラム、利用者情報、及び設定値等のデータの種類に応じて記憶素子を使い分けて記憶させてもよい。
【００５９】
図３は、ＣＰＵ４０及びＨＤＤ４６の構成を概略的に示すブロック図である。図３に示すように、ＨＤＤ４６は、入出庫情報記憶部４７を有している。入出庫情報記憶部４７は、機械式駐車装置１０の利用者の過去の入出庫の日時に関する入出庫情報（第１情報）を記憶する。
【００６０】
入出庫情報は、利用者の過去の入庫及び出庫の年月日、曜日、時刻についての情報を含む。利用者には、例えば入庫の実績や契約などにより予め登録された利用者（第１利用者）と、それ以外の登録されていない利用者（第２利用者）とが含まれる。入出庫情報は、この予め登録された第１利用者の情報と、登録されていない第２利用者の情報とを含んでいる。
【００６１】
予め登録された利用者の情報は、当該利用者の識別情報と対応付けて記憶されている。この利用者の識別情報としては、例えば利用者に配布されるＩＣカードに記憶された情報や、利用者が入庫時に入力する暗証番号などが用いられる。また、例えば利用者の車両のナンバーを検出する不図示の検出部が入出庫部１４に配置される場合、当該検出部から得られる情報（車両のナンバー）を利用者の識別情報として用いてもよい。これにより、車両１２の入庫時に利用者の識別情報が入力又は検出された場合、当該識別情報に対応する利用者の入出庫情報を読み出すことが可能となっている。また、車両に設置されたＥＴＣ車載器やその他通信機器のＩＤ、利用者が所有する携帯情報端末機器のＩＤを、識別情報として利用してもよい。
【００６２】
また、登録のない利用者（第２利用者）は、過去の入庫や出庫の年月日、曜日、時刻についての実績が存在しない。このため、第２利用者については、例えば過去の実績に相当する情報（入庫や出庫の年月日、曜日、時刻など）を設定し、この設定された情報を入出庫情報とする。したがって、登録のない利用者は、この設定された情報により、１人の同じ利用者として統一して管理される。なお、過去の実績に相当する情報としては、例えば第１利用者についての情報の平均値などを用いてもよい。
【００６３】
また、ＨＤＤ４６は、特性情報記憶部４８を有している。特性情報記憶部４８は、機械式駐車装置１０の特性に関する特性情報（第２情報）を記憶する。特性情報としては、例えば機械式駐車装置１０の利用形態に関する利用形態情報、機械式駐車装置１０が設けられる施設に関する施設情報、及び機械式駐車装置１０が設けられる地域の天候に関する天候情報のうち少なくとも１つが含まれる。
【００６４】
上記利用形態情報については、例えば機械式駐車装置１０の利用契約が時間貸契約及び月極契約のいずれであるか、という情報が含まれる。また、時間貸の場合、例えば単位時間当たりの金額はいくらか、昼間と夜間とで単位時間当たりの駐車料金に区別はあるか、という情報が含まれる。また、月極の場合、例えば契約期間に土曜日、日曜日及び祝日は含まれるか、という情報が含まれる。
【００６５】
上記施設情報については、例えば商業施設やマンション、オフィスビルなど、機械式駐車装置１０が具体的にどのような種類の施設に設けられるかという情報を含む。例えば、機械式駐車装置１０が商業施設に設けられる場合、商品の割引サービスを受けられる日時に関する情報や、催事又はイベントが行われる日時に関する情報なども施設情報に含まれる。なお、利用者の年齢、男女等によって関心となる割引サービス、催事、イベントが異なるため、これらの情報は利用者毎に設定してもよい。また、機械式駐車装置１０がマンションに設けられる場合、利用者の通勤時間や日常の買い物等に出かける時間など、利用者の生活パターンに応じた情報なども施設情報に含まれる。また、機械式駐車装置１０がオフィスビルに設けられる場合、日勤の事務所、深夜営業の飲食店、ビルの警備会社といった、会社毎に機械式駐車装置１０を利用し、しかも利用会社によって利用パターンが異なることが想定される。このため、利用会社毎に管理した方が効率的である。そこで、この場合、利用会社の職種、勤務時間といった利用会社毎の情報を施設情報に含めるようにしてもよい。なお、利用会社に所属する個人の勤務時間など、利用者個人に関する情報を施設情報に含めてもよい。また、駐車車両が社有車である場合、利用会社の情報に加え、社有車の車種やナンバーといった社有車毎の情報を施設情報に含めてもよい。
【００６６】
上記天候情報については、例えば機械式駐車装置１０が設けられる地域の現状の天気情報を含んでもよいし、当該地域の天気予報の情報（天気情報や降水確率情報など）を含めてもよい。
【００６７】
なお、特性情報については、上記のような利用形態情報、施設情報及び天候情報に限定するものではなく、機械式駐車装置１０についての情報であって利用者（個人及び会社を含む）が入庫及び出庫の行動を起こすための動機となりうる事項に関する情報であれば、他の種類の情報であってもよい。
【００６８】
また、ＨＤＤ４６は、閾値情報記憶部４９を有している。閾値情報記憶部４９は、後述する入出庫確率の閾値を記憶する。
【００６９】
また、ＨＤＤ４６は、制御プログラム記憶部５０を有している。制御プログラム記憶部５０は、パレット１６の配置を設定する制御プログラムを記憶する。この制御プログラムは、上記入出庫情報と上記特性情報とに基づいて、利用者のそれぞれについて入庫確率及び出庫確率を含む入出庫確率を時刻毎に算出する処理と、算出した入出庫確率に基づいてパレット１６の配置を設定する処理とをコンピュータに実行させる。
【００７０】
ＣＰＵ４０は、ＲＯＭ４４、ＲＡＭ４５、ＨＤＤ４６に記憶された情報やプログラムなどに従って各種演算を行う。ＣＰＵ４０は、算出部４１と、判断部４２と、設定部４３とを有している。算出部４１は、ＨＤＤ４６の制御プログラム記憶部５０に記憶された制御プログラムに従って、上記の入出庫情報と特性情報とに基づいて、利用者のそれぞれについて入出庫確率を時刻毎に算出する。この入出庫確率は、入庫確率及び出庫確率を含む。入庫確率は、ある時刻において利用者が車両を入庫する確率である。出庫確率は、ある時刻において利用者が車両を出庫する確率である。
【００７１】
判断部４２は、算出部４１で算出された入出庫確率が閾値情報記憶部４９に記憶された閾値を超えるか否かを判断する。この閾値は、予め設定されたものであってもよいし、機械式駐車装置１０の管理者が適宜変更したものであってもよい。設定部４３は、ＨＤＤ４６の制御プログラム記憶部５０に記憶された制御プログラムに従って、算出部４１で算出された入出庫確率に基づいてパレット１６の配置を設定する。また、設定部４３は、設定に基づいてパレット１６の配置換えの移動を実行する。
【００７２】
続いて、上記のように構成された機械式駐車装置１０の動作を説明する。まず、利用者により操作盤２８に入庫の指示が入力された場合、制御装置２４は、入庫処理を行わせる。入庫処理では、制御装置２４は、まず車両１２が載置されていない空きパレット１６を１つ選択し、リフト２２まで水平方向に移動させる。その後、制御装置２４は、リフト２２によって当該パレット１６を上昇させ、入出庫部１４に移動させる。パレット１６が入出庫部１４に配置された後、制御装置２４は、扉２６を開状態とし、操作盤２８の出力装置を介して利用者に車両１２を入出庫部１４のパレット１６に載せるように指示する。車両１２がパレット１６に載置され、利用者が入出庫部１４から外に出た後、制御装置２４は、扉２６を閉状態とし、車両１２が載せられたパレット１６をリフト２２によって下降させる。その後、制御装置２４は、パレット１６を水平方向に移動させて格納棚１８に格納させる。これにより、入庫処理が完了する。
【００７３】
また、利用者により操作盤２８に出庫の指示が入力された場合、制御装置２４は、出庫処理を行わせる。出庫処理では、制御装置２４は、出庫の指示を行った利用者の車両１２が載せられたパレット１６を選択し、リフト２２まで水平方向に移動させる。その後、制御装置２４は、リフト２２によって当該パレット１６を上昇させ、入出庫部１４に移動させる。パレット１６が入出庫部１４に配置された後、制御装置２４は、扉２６を開状態とし、操作盤２８の出力装置を介して利用者に車両１２を入出庫部１４から外に出すように指示する。車両１２が入出庫部１４から外に出された後、制御装置２４は、扉２６を閉状態とし、パレット１６をリフト２２によって下降させる。その後、制御装置２４は、パレット１６を水平方向に移動させて格納棚１８に戻す。これにより、出庫処理が完了する。
【００７４】
このようなパズル式の機械式駐車装置１０は、車両１２が格納棚１８からリフト２２まで搬送される時間に応じて、利用者の待ち時間が決まる。利用者が出庫の指示を入力した時点で、当該利用者の車両１２がリフト２２から離れた格納棚１８に格納されていると、車両１２の搬送時間が長くなるため、利用者の待ち時間が長くなる。
【００７５】
本実施形態において、制御装置２４は、出庫の可能性が高い利用者の車両がリフト２２の周囲に配置されるようにパレット１６の配置を設定する。これにより、車両１２の搬送時間を短縮し、ひいては利用者の待ち時間を短縮させるようにする。また、利用者の入庫の可能性が高い場合に、リフト２２の周囲に空きパレット１６が配置されるようにパレット１６の配置を設定する。これにより、入庫時の空きパレット１６の搬送を短時間で行い、利用者の入庫待ちの時間を短縮させるようにする。以下、パレット１６の配置の制御について説明する。
【００７６】
図４は、パレット１６の配置を設定する手順を示すフローチャートである。図４に示すように、制御装置２４は、まず利用者毎の入出庫確率を算出する（ステップＳ０１）。
【００７７】
ステップＳ０１において入出庫確率を算出する手順の一例を説明する。算出部４１は、入出庫情報記憶部４７に記憶される入出庫情報に基づいて、過去に機械式駐車装置１０に駐車した際の利用者の時刻毎の積算入庫回数及び積算出庫回数を求める。どの程度の期間の情報を用いるかについては、特に限定するものではなく、例えばすべての利用者で一律の期間の情報を用いるように設定してもよいし、利用者毎に異なる期間の情報を用いるように設定してもよい。図５Ａは、ある１人の利用者について、１週間分の積算入庫回数及び入庫確率を示すグラフである。図５Ｂは、当該利用者について、１週間分の積算出庫回数及び第１出庫確率を示すグラフである。なお、図５Ａ及び図５Ｂでは、月曜日のデータのみが例示されている。また、図５Ａ及び図５Ｂの横軸は時刻（単位：時）を示しており、右側の縦軸は積算回数（単位：回）を示している。図５Ａの棒グラフに示すように、例えば積算入庫回数は、１０時から１２時にかけて徐々に増加し、１２時から１６時にかけて僅かに減少し、その後急激に減少している。また、図５Ｂの棒グラフに示すように、積算出庫回数は、１１時から１５時にかけて増加し、１５時から１７時にかけて横ばいに推移し、その後減少している。
【００７８】
次に、算出部４１は、求めた積算入庫回数及び積算出庫回数に基づいて、時刻毎に入庫及び出庫が発生する確率をそれぞれ算出する。以下、このように積算回数に基づいて算出された入庫についての確率を入庫確率と表記し、出庫についての確率を第１出庫確率（第１確率）と表記する。図５の左側の縦軸は確率（％）を示している。図５Ａの曲線グラフに示すように、入庫確率は、時刻毎の積算入庫回数に対応した値になっている。また、図５Ｂの曲線グラフに示すように、第１出庫確率は、時刻毎の積算出庫回数に対応した値になっている。
【００７９】
算出部４１は、利用者毎、曜日毎に入庫確率及び第１出庫確率を求める。この入庫確率及び第１出庫確率は、曜日毎、時刻毎の利用者の傾向が反映される。したがって、例えば曜日毎に一定のパターンで機械式駐車装置１０を利用する利用者の入庫確率及び第１出庫確率を求める場合に有効に用いることができる。
【００８０】
一方、算出部４１は、入出庫情報記憶部４７に記憶される入出庫情報に基づいて、利用者の１回の駐車当たりの平均駐車時間を求める。算出部４１は、出庫した時刻から入庫した時刻を引いた駐車時間を過去の駐車毎にそれぞれ求め、すべての値を平均することにより、平均駐車時間を求める。
【００８１】
次に、算出部４１は、利用者が今回入庫した時刻に平均駐車時間を加えた時刻を求める。そして、算出部４１は、例えばこの求めた時刻において出庫の発生確率が最大となるように、時刻毎の出庫の発生確率（第２確率）を算出する。以下、この確率を第２出庫確率と表記する。
【００８２】
算出部４１は、利用者毎、曜日毎に第２出庫確率を求める。この第２出庫確率は、入庫からの経過時間に関して利用者の傾向が反映される。したがって、特定の利用パターンが存在しない利用者や、毎回ほぼ一定の駐車時間で駐車する利用者等の出庫確率を算出する場合に有効に用いることができる。
【００８３】
続いて、算出部４１は、上記のように算出した第１出庫確率をＰ１ｏｕｔとし、第２出庫確率をＰ２ｏｕｔとすると、出庫確率Ｐｏｕｔを、
Ｐｏｕｔ＝α・Ｐ１ｏｕｔ＋β・Ｐ２ｏｕｔ      …（式１）
として算出する。なお、α及びβは係数である。
【００８４】
第１出庫確率Ｐ１ｏｕｔ及び第２出庫確率Ｐ２ｏｕｔは、例えば利用者毎、曜日毎、時刻毎に求めることができる。したがって、利用者をｉｄｌ、曜日をｄｍ、時刻をｔｎとすると、上記（式１）は、
Ｐｏｕｔ（ｉｄｌ，ｄｍ，ｔｎ）
＝α・Ｐ１ｏｕｔ（ｉｄｌ，ｄｍ，ｔｎ）＋β・Ｐ２ｏｕｔ（ｉｄｌ，ｄｍ，ｔｎ）…（式２）
と表記することができる。
【００８５】
ただし、ｌは利用者毎に異なる数を示すインデックスであり、ｍは曜日毎に異なる数を示すインデックスであり、ｎは時刻毎に異なる数を示すインデックスである。このように、出庫確率Ｐｏｕｔ（ｉｄｌ，ｄｍ，ｔｎ）は、利用者毎、曜日毎、時刻毎に求められる。なお、上記の第１出庫確率、第２出庫確率及び出庫確率は、利用者毎、曜日毎、時刻毎に求める場合に限定するものではない。例えば、複数の利用者（例、商業施設の来客、マンションの住人、等）、複数の曜日（平日、休日、１週間毎、等）、複数の時刻（午前と午後、昼間と夜間、等）についての値を総計した値であってもよい。
【００８６】
次に、算出部４１は、機械式駐車装置１０の特性情報に基づいて、利用者毎に（式１）又は（式２）における係数α及びβを設定する。例えば、利用者が曜日毎に一定のパターンで機械式駐車装置１０を利用する傾向にある場合、算出部４１は、α＞βとなるように係数α、βを設定する。これにより、出庫確率Ｐｏｕｔの値は、第１出庫確率Ｐ１ｏｕｔの値が第２出庫確率Ｐ２ｏｕｔの値よりも反映される。
【００８７】
例えば機械式駐車装置１０の利用形態が月極の駐車場の場合、利用者は駐車時間に関係なく入出庫を行い、しかも同一曜日において出庫の時刻が同一のパターンになりやすいと想定できる。
【００８８】
また、例えば機械式駐車装置１０が商業施設に設けられる場合、利用者は割引サービスや催事、イベントの時間帯に合わせて機械式駐車装置１０を利用することが想定できる。この場合、上記時間帯においてパターンが生じるものと想定できる。また、例えば機械式駐車装置１０がマンションに設けられる場合、利用者の通勤時間や日常の買い物等に出かける時間など、利用者の生活パターンに合わせて機械式駐車装置１０を利用することが想定できる。さらに、例えば機械式駐車装置１０がオフィスビルに設けられる場合、利用会社がそれぞれの勤務形態に応じたパターンで機械式駐車装置１０を利用することが想定できる。
【００８９】
また、例えば機械式駐車装置１０が設けられる地域の天候に応じて利用者が車を入庫又は出庫させることが想定できる。
【００９０】
このように出庫の時刻が特定のパターンに従って行われる傾向にある場合、α＞βとなるように係数α、βを設定することにより、利用者の出庫時刻のパターンが反映された出庫確率を求めることができる。これにより、利用者の出庫確率を高精度に求めることができる。
【００９１】
一方、算出部４１は、例えば利用者が特定のパターンで利用しない場合や、駐車時間が一定になるように機械式駐車装置１０を利用する傾向にある場合、算出部４１は、α＜βとなるように係数α、βを設定する。これにより、出庫確率Ｐｏｕｔの値は、第２出庫確率Ｐ２ｏｕｔの値が第１出庫確率Ｐ１ｏｕｔの値よりも反映される。
【００９２】
例えば時間貸の駐車場の場合、利用者は、入庫してからの駐車時間に応じて出庫のタイミングを決定する傾向にあると想定できる。したがって、算出部４１は、このような場合には、α＜βとなるように係数α、βを設定する。また、この場合、単位時間当たりの金額が高いほど、利用者は駐車時間に応じて出庫を行う傾向が強くなると想定できる。したがって、算出部４１は、例えば単位時間当たりの金額が高い場合ほど係数αの値が小さく、係数βの値が大きくなるように調整することができる。例えば昼間と夜間とで駐車料金に区別がある場合について、算出部４１は、昼間及び夜間のうち単位時間当たりの金額が高い時刻に入庫した場合には、単位時間当たりの金額が低い時刻に入庫した場合に比べて、係数βの値を大きくするように調整できる。
【００９３】
また、例えば機械式駐車装置１０が商業施設に設けられる場合、割引サービスや催事、イベント等がなければ、利用者は日常品の買い物を終えると帰宅する。この場合、買い物に要する時間は利用者毎に概ね一定となると想定できる。したがって、算出部４１は、このような場合には、α＜βとなるように係数α、βを設定する。
【００９４】
このように、利用者が特定のパターンで利用しない場合や駐車時間が一定になるように機械式駐車装置１０を利用する傾向にある場合、α＜βとなるように係数α、βを設定することにより、利用者の過去の平均駐車時間が反映された出庫確率を求めることができる。これにより、利用者の出庫確率を高精度に求めることができる。以上のように、ステップＳ０１において入出庫確率が算出される。
【００９５】
次に、制御装置２４は、算出された入出庫確率の値が閾値を超えているか否かの判断を行う（ステップＳ０２）。ステップＳ０２において、判断部４２は、機械式駐車装置１０の各稼働日における時刻毎の入出庫確率について、利用者毎に閾値を超えているか否かを判断する。
【００９６】
閾値を超える入出庫確率が存在した場合（ステップＳ０２のＹＥＳ）、制御装置２４は、当該閾値を超えた入出庫確率に対応するパレット１６がリフト２２の周囲の格納棚１８に配置されるようにパレット１６の配置を設定する（ステップＳ０３）。なお、閾値を超える出庫確率が存在しなかった場合（ステップＳ０２のＮＯ）、制御装置２４は、ステップＳ０１に戻って処理を行う。
【００９７】
以下、ステップＳ０３においてパレット１６の配置を設定する手順の一例を説明する。まず、出庫確率が閾値を超えると判断された場合についての手順を説明する。この場合、設定部４３は、出庫確率に対応する利用者の車両１２を載置するパレット１６がリフト２２の周囲の格納棚１８に配置されるようにパレット１６の配置を設定する。
【００９８】
図６は、格納庫２０内におけるリフト２２（入出庫部１４）、格納棚１８、パレット１６及び車両１２の位置関係を模式的に示す図である。図６では、５行７列の格納棚１８が配置される場合を例に挙げているが、これに限定するものではない。図６では、列番号をＡ〜Ｅと表示し、行番号をａ〜ｇと表示している。１つの格納棚１８の位置を表記する場合、「位置（列番号、行番号）」と表記する。例えば図中最も左上の格納棚１８の位置を表記する場合には位置（Ａ、ａ）と表記する。なお、リフト２２は、位置（Ｃ、ｃ）に配置される。
【００９９】
図６Ａにおいて、例えば位置（Ｂ、ｆ）の格納棚１８に格納された車両１２Ａの利用者の出庫確率のみが閾値を超えているとする。この場合、設定部４３は、車両１２Ａがリフト２２の周囲に配置されるようにパレット１６の配置を設定する。
【０１００】
リフト２２の周囲の位置としては、一例として、リフト２２に対して２つ以内の距離にある格納棚１８、つまり、位置（Ａ、ｃ）、位置（Ｂ、ｂ）、位置（Ｂ、ｃ）、位置（Ｂ、ｄ）、位置（Ｃ、ａ）、位置（Ｃ、ｂ）、位置（Ｃ、ｄ）、位置（Ｃ、ｅ）、位置（Ｄ、ｂ）、位置（Ｄ、ｃ）、位置（Ｄ、ｄ）、位置（Ｅ、ｃ）の合計１２個の格納棚１８とすることができる。勿論、リフト２２の周囲としては、これに限定するものではない。
【０１０１】
以下では、設定部４３が、図６Ａに示すように、車両１２Ａを載置したパレット１６の移動先を、一例としてリフト２２の図中右隣の位置（Ｃ、ｄ）に設定する場合を例に挙げて説明する。この場合、設定部４３は、位置（Ｂ、ｆ）のパレット１６を位置（Ｃ、ｄ）に移動させるための移動手順を設定する。例えば、まず空き領域である位置（Ｂ、ｄ）に、位置（Ｂ、ｅ）のパレット１６を移動させる。次に、新たに空き領域となった位置（Ｂ、ｅ）に、位置（Ｂ、ｆ）のパレット１６（車両１２Ａを載置したパレット１６）を移動させる。次に、空き領域となった位置（Ｂ、ｆ）に、位置（Ｃ、ｆ）のパレット１６を移動させる。次に、空き領域となった位置（Ｃ、ｆ）に、位置（Ｃ、ｅ）のパレット１６を移動させる。そして、空き領域となった位置（Ｃ、ｅ）に、位置（Ｃ、ｄ）のパレット１６を移動させる。その後、上記５つのパレットを反時計回りに１つずつ順に移動させることで、図６Ａにおいて位置（Ｂ、ｆ）に配置されるパレット１６は、位置（Ｂ、ｆ）→位置（Ｂ、ｅ）→位置（Ｂ、ｄ）→位置（Ｃ、ｄ）と順に移動する。この移動後のパレット１６の配置は、図６Ｂに示すようになる。以上により、パレット１６の配置の設定が完了する。
【０１０２】
なお、複数の利用者の出庫確率が閾値を超える場合、設定部４３は、出庫確率の高い利用者の車両ほどリフト２２に近い格納棚１８に配置されるようにパレット１６の配置を設定する。図７は、格納庫２０内におけるリフト２２（入出庫部１４）、格納棚１８、パレット１６及び車両１２の位置関係を模式的に示す図である。図７では、図６と同様に、５行７列の格納棚１８が配置される場合を例に挙げているが、これに限定するものではない。また、図７においても、列番号をＡ〜Ｅと表示し、行番号をａ〜ｇと表示している。
【０１０３】
図７Ａにおいて、例えば位置（Ｂ、ｅ）の格納棚１８に格納された車両１２Ｂの利用者、及び位置（Ｂ、ｆ）の格納棚１８に格納された車両１２Ｃの利用者の２人の利用者の出庫確率が閾値を超えているとする。この場合、設定部４３は、車両１２Ｂ、車両１２Ｃがリフト２２の周囲に配置されるように、かつ、出庫確率の高い利用者の車両ほどリフト２２に近い位置の格納棚１８に配置されるようにパレット１６の配置を設定する。
【０１０４】
以下では、設定部４３が、図７Ａに示すように、一例として位置（Ｂ、ｅ）のパレット１６の移動先を位置（Ｃ、ｄ）に設定し、位置（Ｂ、ｆ）のパレット１６の移動先を位置（Ｂ、ｄ）に設定する場合を例に挙げて説明する。この場合、設定部４３は、それぞれのパレット１６の移動手順を設定する。例えば、位置（Ｂ、ｅ）、位置（Ｂ、ｆ）、位置（Ｃ、ｄ）、位置（Ｃ、ｅ）、位置（Ｃ、ｆ）の５つのパレット１６を反時計回りに１つずつ順に移動させることで、図７Ａにおいて位置（Ｂ、ｅ）に配置されるパレット１６は、位置（Ｂ、ｅ）→位置（Ｂ、ｄ）→位置（Ｃ、ｄ）と順に移動する。図７Ａにおいて位置（Ｂ、ｆ）に配置されるパレット１６は、位置（Ｂ、ｆ）→位置（Ｂ、ｅ）→位置（Ｂ、ｄ）と順に移動する。この移動後のパレット１６の配置は、図７Ｂに示すようになる。
【０１０５】
また、入庫確率が閾値を超えると判断された場合、設定部４３は、車両１２が載置されていない状態のパレット１６が１つ以上リフト２２の周囲の格納棚１８に配置されるようにパレットの配置を設定する。なお、図６及び図７に示す例では、リフト２２の周囲の位置（Ｄ、ｃ）に空きパレット１６が配置されている。この場合、設定部４３は、パレット１６の位置を変更しないようにする。また、複数の利用者の入庫確率が閾値を超えると判断された場合、設定部４３は、閾値を超えた利用者数以上の数の空きパレット１６がリフト２２の周囲に配置されるようにパレット１６の位置を設定する。この場合においても、閾値を超えた利用者数以上の空きパレット１６がリフト２２の周囲に配置されている場合、パレット１６の位置を変更しないようにする。これにより、パレット１６の無駄な配置換えが抑制される。以上により、パレット１６の配置の設定が完了する。
【０１０６】
パレット１６の配置の設定が完了した後、設定部４３は、パレット１６の移動開始のフラグの有無を検出する（ステップＳ０４）。パレット１６の移動開始のフラグがある場合として、例えば、機械式駐車装置１０の利用を開始してから所定時間が経過した場合や、前回パレット１６の移動を行ってから所定時間が経過した場合、所定数以上の利用者の入出庫確率が閾値を超えた場合などが挙げられる。これらのフラグは、機械式駐車装置１０の管理者等が適宜設定することができる。また、機械式駐車装置１０の管理者が手動によりパレット１６の移動開始のフラグを立ててもよい。なお、設定部４３は、入庫及び出庫の動作が行われている場合には、パレット１６の移動開始のフラグがある場合であっても、フラグを取り消すようにする。これにより、入庫動作及び出庫動作の間、当該パレット１６の移動が行われないようにできる。
【０１０７】
パレット１６の移動開始のフラグが立っている場合（ステップＳ０４のＹＥＳ）、設定部４３は、パレット１６の移動を開始させる（ステップＳ０５）。ステップＳ０５において、設定部４３は、ステップＳ０３で設定した配置となるようにパレット１６を移動させる。パレット１６の移動開始のフラグが立っていない場合又はフラグが取り消された場合（ステップＳ０４のＮＯ）、制御装置２４は、ステップＳ０１に戻って処理を行う。
【０１０８】
パレット１６の移動が開始された後、設定部４３は、パレット１６の移動中に入庫又は出庫の指示があるか否かを検出する（ステップＳ０６）。パレット１６の移動中に入庫又は出庫の指示が検出された場合（ステップＳ０６のＹＥＳ）、設定部４３は、パレット１６の移動を中断させる（ステップＳ０８）。その後、設定部４３は、入庫処理又は出庫処理が完了したか否かを検出する（ステップＳ０９）。入庫処理又は出庫処理の完了が検出されない場合（ステップＳ０９のＮＯ）、設定部４３は、パレット１６の移動を中断させた状態を維持する。
【０１０９】
ここで、入庫処理及び出庫処理により、複数のパレット１６の配置が中断前に対して変化したり、リフト２２の周囲に配置しようとしていた利用者の車両１２が出庫されたりする場合がある。このような場合、パレット１６の配置を再度設定する必要がある。したがって、入庫処理又は出庫処理の完了が検出された場合（ステップＳ０９のＹＥＳ）、設定部４３は、パレット１６の配置を再設定する必要があるか否かを判断する（ステップＳ１０）。再設定が必要と判断した場合（ステップＳ１０のＹＥＳ）、制御装置２４は、ステップＳ０１に戻って処理を行う。再設定が不要と判断した場合（ステップＳ１０のＮＯ）、設定部４３は、パレット１６の移動を再開させる（ステップＳ１１）。
【０１１０】
その後、パレット１６の移動が完了した場合（ステップＳ０７）、制御装置２４は、処理を終了するか否かの判断を行う（ステップＳ１２）。制御装置２４は、処理を続行する場合には（ステップＳ１２のＮＯ）ステップＳ０１に戻って処理を行い、それ以外の場合には、処理を終了する（ステップＳ１２のＹＥＳ）。
【０１１１】
パレット１６の移動が完了した後、利用者によって操作盤２８から出庫の指示が入力された場合、制御装置２４は、出庫処理を行わせる。リフト２２が１基しか設けられないパズル式の機械式駐車装置１０では、車両が続けて入庫されるとリフト２２の周囲で車両が滞留する場合がある。その結果、例えば先に入庫した車両がリフト２２から離れた格納棚１８へ順に移動させられてしまう場合がある。これに対して、本実施形態では、制御装置２４が出庫確率を算出し、これに基づいてパレット１６を移動させる。このため、例えば一旦リフト２２から離れた格納棚１８に移動させられた利用者の車両１２Ａ、１２Ｂ、１２Ｃ等であっても、リフト２２の周囲の格納棚１８に配置されることになる。よって、出庫時にはリフト２２までの移動時間が短くて済むため、利用者の待ち時間が短くて済む。
【０１１２】
また、例えば利用者によって操作盤２８から入庫の指示が入力された場合、制御装置２４は、入庫処理を行わせる。本実施形態では、制御装置２４が入庫確率を算出し、これに基づいてパレット１６を移動させる。このため、例えばリフト２２の周囲に車両が滞留することがあっても、リフト２２の周囲の格納棚１８に空きパレット１６が配置されることになる。よって、入庫時の空きパレット１６の移動時間が短くて済むため、利用者の待ち時間が短くて済む。
【０１１３】
以下、パレット１６の移動の制御についての具体的な例を説明する。図８は、マンションに設置された機械式駐車装置１０において、車で通勤する利用者の入出庫確率の一例を示すグラフである。図６では、曜日毎の入出庫確率をまとめて１週間当たりの値となっている。当該利用者は、平日の７時頃に通勤するため７時台の出庫確率が９０％程度と高いピーク値を示している。また、休日（土日等）には昼間にも車を使用するため、昼の時間帯（１０時頃から１６時頃まで）でも出庫確率が２０％〜３０％程度の値を示している。また、出庫確率については、１９時から２０時頃に８０％とピーク値を示している。利用者の帰宅時間が日によってばらつくため、入庫確率のピークについては、ピーク幅が出庫確率よりも広く、ピーク値が出庫確率よりも低くなっている。
【０１１４】
図８に示すような入出庫確率の場合、例えば出庫確率のピーク値が高い値を示しているため、制御装置２４は、ピークが開始される前の時刻（例、５時〜６時の間頃）に利用者の車両１２を載せたパレット１６をリフト２２の周囲に配置させておく。また、入庫確率のピーク値が高い値を示しているため、制御装置２４は、ピークが開始される前の時刻（１８時頃）に空きパレット１６をリフト２２の周囲に配置させておく。これにより、利用者の入出庫の待ち時間を短く済ませることができる。この場合、利用者の入出庫確率が高いため、パレット１６の無駄な配置換えとはならない。
【０１１５】
図９は、マンションに設置された機械式駐車装置１０において、一家で車を所有し徒歩で通勤する利用者の入出庫確率の一例を示すグラフである。図９Ａは晴天日の入出庫確率、図９Ｂは雨天日の入出庫確率をそれぞれ示している。
【０１１６】
図９Ａに示すように、晴天日には利用者は徒歩で通勤するため６時から８時の時間帯は車を使用することが少なく、出庫確率が低くなっている。また、利用者の家族（例、配偶者等）が買い物や他の家族（例、子等）の送迎で昼間の時間帯に車を使用するが、定期的ではないため、出庫確率のピーク値は低い値を示している。また、車で外出した後、夕食前の時間帯までに戻るため、入庫確率については１６時〜１７時がピークとなっているが、ピーク値は低い値を示している。
【０１１７】
一方、図９Ｂに示すように、雨天日には、利用者の家族が利用者を車に乗せて送迎するため、出庫確率が出勤の時間帯である６時〜８時頃には７０％程度と高いピーク値を示している。また、帰宅の時間帯である１７時〜１９時頃には、５０％程度と高いピーク値を示している。入庫確率については、利用者を送迎した後にすぐに帰宅して入庫するため、それぞれ出庫の１時間程度後の入庫確率が高いピーク値を示している。
【０１１８】
図９Ａ及び図９Ｂに示すような入出庫確率の場合、晴天日の入出庫確率は全体的に低いため、制御装置２４は、当該利用者についてはパレット１６の配置換えを行わないようにする。また、雨天日の通勤（出勤及び帰宅）時間帯に出庫の可能性が高くなるというパターンが読み取れる。よって、制御装置２４は、雨天日には通勤時間帯の前に利用者の車両１２を載せたパレット１６をリフト２２の周囲に配置させておく。また、出庫から入庫までの時間が短いため、車両１２を載せたパレット１６の移動とともに、入庫用の空きパレット１６についてもリフト２２の周囲に配置させておく。これにより、パレット１６の無駄な配置換えを抑制しつつ、利用者の入出庫の待ち時間を短く済ませることができる。
【０１１９】
図１０は、商業施設に設置された機械式駐車装置１０において、当該機械式駐車装置１０を利用する全ての利用客を１グループとした場合の入出庫確率の一例を示すグラフである。図１０Ａは商業施設でイベントが行われない場合の入出庫確率を示し、図１０Ｂは商業施設で１８時から２０時の間、例えば割引セールなどのイベントが行われる場合の入出庫確率を示す。
【０１２０】
図１０Ａ及び図１０Ｂを比較すると、イベントが行われる日には、入庫確率は１５時頃にピークとなり、その後減少している。出庫確率は、１７時から１８時頃にピークとなり、その後減少している。一方、イベントが行われる日には、入庫確率は１５時にピークを示した後、１時間程度の間でわずかに減少する。そして、イベントが開始される１８時頃にかけて再度ピークを示す。出庫確率については、１７時頃に一旦ピークを示し、その後１９時頃に再度ピークを示す。
【０１２１】
このように、イベントが行われない場合には、夕方、例えば１７時以降において入庫確率が減少し、入庫確率よりも出庫確率の方が高くなる。この場合、制御装置２４は、パレット１６の配置を設定する際に、出庫する利用者を優先させるようにする。つまり、制御装置２４は、リフト２２の周囲に配置される空きパレット１６の数が少なくなり、閾値を超える出庫確率の利用者の車両ができるだけリフト２２の周囲に配置されるように設定する。
【０１２２】
また、イベントが行われる場合には、夕方、１７時以降の出庫確率が減少し、一時的に出庫確率よりも入庫確率の方が高くなる。この場合、制御装置２４は、パレット１６の配置を設定する際に、入庫する利用者を優先させるようにする。つまり、リフト２２の周囲にできるだけ多くの空きパレット１６が配置されるように設定する。これにより、入庫時間及び出庫時間を極力短くすることができ、利用者の待ち時間を減少することができる。
【０１２３】
以上のように、本実施形態によれば、利用者の過去の入庫及び出庫の日時に関する入出庫情報と機械式駐車装置１０の特性に関する特性情報とに基づいて、利用者のそれぞれについて入庫確率及び出庫確率を含む入出庫確率を時刻毎に算出し、この入出庫確率に基づいてパレット１６の配置を設定するため、利用者に入力操作などの負担をかけることなく、入出庫の際の待ち時間を短縮させることが可能となる。
【０１２４】
また、機械式駐車装置１０の利用者は必ずしも同じパターンで車両を使用するとは限らず、例えば曜日（平日と休日）や天候（晴天時と雨天時）等によって車両の使用の有無が異なったり、車両を使用する時間帯が異なったりする場合がある。また、オフィスビルなどのようにランダムに車が出入りする場合もある。これに対して、本実施形態で算出される入出庫確率は、利用者の過去の傾向のみならず機械式駐車装置１０の特性についても反映されたものとなるため、より高精度に算出される。これにより、パレット１６の無駄な配置換えを抑制することができ、無駄な電力の消費を抑制することができる。また、機械式駐車装置の種類によっては、パレット１６の配置換え運転を中断できないものもあり、配置換え運転中に入出庫の指示があった場合には配置換え運転が完了するまで利用者を待たせることになる。したがって、無駄な配置換えが抑制されることで、無駄な待ち時間の発生が抑制されることになる。
【０１２５】
本発明の技術範囲は上記実施形態に限定されるものではなく、本発明の趣旨を逸脱しない範囲で適宜変更を加えることができる。例えば、上記実施形態では、入出庫部１４において車両１２の入庫及び出庫を１つのリフト２２で行う構成を例に挙げて説明したが、これに限定するものではない。例えば、入庫部と出庫部とが別個に設けられ、入庫部及び出庫部のそれぞれにリフトが設けられた構成であっても、本発明の適用は可能である。この場合、入庫部のリフトの周囲では入庫確率を優先させたパレットの配置とし、出庫部のリフトの周囲では出庫確率を優先させたパレットの配置とすることができる。
【０１２６】
また、上記実施形態において、出庫確率Ｐｏｕｔの係数α、βの設定方法を説明したが、制御装置２４は、一旦設定されたα、βの値を補正又は変更してもよい。一例として、制御装置２４は、α、βを設定して入出庫確率を算出し、当該入出庫確率に基づいた配置となるようにパレット１６を移動させる場合、利用者の入庫待ち時間又は出庫待ち時間を測定しておく。そして、制御装置２４は、測定した待ち時間が想定していた時間（閾値）よりも長い場合には、当該待ち時間が短縮されるようにα、βの値を補正する。例えば、制御装置２４は、第１出庫確率Ｐ１ｏｕｔ及び第２出庫確率Ｐ２ｏｕｔの標準偏差をそれぞれ求め、標準偏差の大きい方（特性にバラつきがある方）の係数を減少させ、標準偏差の小さい方（特性がある値に集まっている方）の係数を増加させる。この補正により、利用者が同一のパターンで機械式駐車装置１０を利用する傾向にある場合には、αの値が大きくなる。また、利用者が不規則に又は駐車時間に応じて機械式駐車装置１０を利用する傾向にある場合には、βの値が大きくなる。このように、係数α、βの値を適宜補正することにより、出庫確率をより高精度に算出することができる。
【０１２７】
また、上記実施形態においてパレット１６の配置を設定する際、制御装置２４は、車両１２の載置されていない空きパレット１６がリフト２２の周囲に何個配置されているかを検出し、検出結果に応じてパレット１６の配置を設定してもよい。一例として、リフト２２の周囲に空きパレット１６が所定数を超えて配置されている場合、制御装置２４は、リフト２２の周囲の空きパレット１６の数が所定数以下となるように、車両１２を載置した在車パレット１６をリフト２２の周囲に配置させる。このとき、制御装置２４は、その時点で出庫確率の高い順に車両１２を選択し、選択した在車パレット１６をリフト２２の周囲に配置させる。これにより、リフト２２の周囲には空きパレット１６と在車パレット１６とがバランスよく配置されることになる。よって、入庫の利用者及び出庫の利用者のそれぞれについて、待ち時間を短縮させることができる。
【０１２８】
また、上記実施形態においてパレット１６の配置を設定する際、制御装置２４は、機械式駐車装置１０の利用者全体又は複数利用者の入庫確率と出庫確率との比率に応じて、リフト２２の周囲の空きパレット１６の数と在車パレット１６の数とを設定してもよい。つまり、入庫確率が出庫確率よりも高い場合、制御装置２４は、空きパレット１６の数が在車パレット１６の数よりも多くなるようにパレット１６の配置を設定する。また、出庫確率が入庫確率よりも高い場合、制御装置２４は、在車パレット１６の数が空きパレット１６の数よりも多くなるようにパレット１６の配置を設定する。このとき、制御装置２４は、リフト２２の周囲に配置させる車両１２を、出庫確率の高い順に選択する。したがって、利用者全体で入庫確率の高い時間帯にはリフト２２の周囲に空きパレット１６が多く準備される。また、利用者全体で出庫確率の高い時間帯にはリフト２２の周囲に在車パレット１６が配置され、しかも出庫確率の高い順に車両１２が配置される。これにより、入庫時及び出庫時の待ち時間を短縮させることができる。
【０１２９】
また、上記実施形態においてパレット１６を移動させる前に、制御装置２４は、通信機器等を介して、利用者に車両１２の搬送を行う旨を通知してもよい。この場合、利用者に搬送の可否を確認する内容の通知であってもよい。利用者から車両１２の搬送を行わない旨の指示があった場合には、制御装置２４は、パレット１６の移動を中止する。これにより、無駄なパレット１６の配置換えを行わずに済む。
【０１３０】
また、上記実施形態においてパレット１６の配置を設定する際、制御装置２４は、ステップＳ０１からステップＳ０３を行った後に、パレット１６の移動開始のフラグの有無を検出するようにしたが、これに限定するものではない。例えば、処理の最初に（ステップＳ０１を行う前に）パレット１６の移動開始のフラグの有無を検出し、パレット１６の移動開始のフラグがある場合毎にステップＳ０１から順に処理を行うようにしてもよい。
【０１３１】
また、上記実施形態では、利用者が機械式駐車装置１０の操作を行う場合を例に挙げて説明したが、これに限定するものではない。例えば、機械式駐車装置１０の管理者（例、係員等）が操作を行ってもよい。
【０１３２】
また、上記実施形態において時刻毎の入出庫確率を算出する場合には、例えば１時間毎、３０分毎、１０分毎など、所定の時刻毎に算出すればよい。また、入出庫の多い時間帯は短い時間間隔で算出するなど、異なる間隔で算出してもよい。
【符号の説明】
【０１３３】
１０…機械式駐車装置
１２…車両
１４…入出庫部
１６…パレット
１８…格納棚
２０…格納庫
２４…制御装置
４１…算出部
４２…判断部
４３…設定部
４６…ＨＤＤ
４７…入出庫情報記憶部
４８…特性情報記憶部
４９…閾値情報記憶部
５０…制御プログラム記憶部
【図１】
0006517029.tif 000002
【図２】
0006517029.tif 000003
【図３】
0006517029.tif 000004
【図４】
0006517029.tif 000005
【図５Ａ】
0006517029.tif 000006
【図５Ｂ】
0006517029.tif 000007
【図６Ａ】
0006517029.tif 000008
【図６Ｂ】
0006517029.tif 000009
【図７Ａ】
0006517029.tif 000010
【図７Ｂ】
0006517029.tif 000011
【図８】
0006517029.tif 000012
【図９Ａ】
0006517029.tif 000013
【図９Ｂ】
0006517029.tif 000014
【図１０Ａ】
0006517029.tif 000015
【図１０Ｂ】
0006517029.tif 000016